(57)【要約】
【目的】  地鎮祭などに際して建築用地に埋設することにより、理想的な地相にすることのできる祭礼用具を提供する。
【構成】  所定の長さを有する４本１組の御影石製の柱状構造材１Ａ〜１Ｄから成り、その各上端面にはそれぞれ「青竜」、「白虎」、「朱雀」、「玄武」からなる四方四神の一つを表す文字１１〜１４又は図柄と、これを囲む八卦２１が記される。又、柱状構造材１Ａ〜１Ｄは横断面正八角形で下端部３がテーパ状の形態であり、その上部外周には環状溝４が形成され、その環状溝４には上端面に記される四方四神の一つを表す文字１１〜１４又は図柄に対応して、青、白、赤、又は黒の彩色が施される。そして、係る祭礼用具は地鎮祭に際して、柱状構造材１Ａ〜１Ｄを東西南北の方向で家の建築用地内における地中に埋設する。これにより、家の敷地を四方四神に守られた理想的な地相とすることができる。
【選択図】  図１
0003100675.tif 000002
【実用新案登録請求の範囲】
【請求項１】
地中に埋設する祭礼用具であって、所定の長さを有する柱状構造材の上端面に「青竜」、「白虎」、「朱雀」、「玄武」からなる四方四神の一つを表す文字又は図柄が記されることを特徴とする祭礼用具。
【請求項２】
地中に埋設する祭礼用具であって、所定の長さを有する４本１組の柱状構造材から成り、その各上端面にそれぞれ「青竜」、「白虎」、「朱雀」、「玄武」からなる四方四神の一つを表す文字又は図柄が記されることを特徴とする祭礼用具。
【請求項３】
柱状構造材の上端面に、四方四神の一つを表す文字又は図柄を囲む八卦が記されている請求項１、又は２記載の祭礼用具。
【請求項４】
柱状構造材の上部外周に環状溝が形成され、その環状溝には上端面に記される四方四神の一つを表す文字又は図柄に対応して、青、白、赤、又は黒の彩色が施されることを特徴とする請求項１〜３の何れかに記載の祭礼用具。
【請求項５】
柱状構造材は横断面正八角形で下端部がテーパ状の形態である請求項１〜４の何れかに記載の祭礼用具。
【請求項６】
柱状構造材が御影石製である請求項１〜５の何れかに記載の祭礼用具。
【考案の詳細な説明】
【技術分野】
【０００１】
本考案は祭礼用具に係わり、詳しくは地鎮祭などに際して地相の吉相化を図るべく建築用地に埋設する祭礼用具に関する。
【背景技術】
【０００２】
一般に、家の位置・方向・間取りなどの在り方は吉凶に関係があるとされる。このため、家の新築や増改築の際には家相を占い、可能な限り吉相の家を建てることが慣わしとなっているが、「家相の前に地相」とも云われるように、先ずは吉相の土地を入手することが重要である。
【０００３】
ここに、最も貴い地相は官位・福禄・無病・長寿を併有する地相であり、これは四神相応といって左方である東方に流水のあるものを青竜、右方である西方に大道のあるものを白虎、正面である南方に窪地のあるものを朱雀、後方である北方に丘陵のあるものを玄武とする。然し、昨今の住宅土地事情の中では、吉相とされる四神相応の理想的な土地を入手することは地理的に困難な状況にある。
【０００４】
一方、建物の着工に当たっては、これに先立って敷地の地主神を鎮め、工事の無事を祈願するために神道的な儀式（地鎮祭）を行うことが一般的である。係る地鎮祭は祭場の四方に斎竹を立て、これに注連縄（しめ縄）を回し、南に面して神籬（ひもろぎ）を安置する。
【０００５】
特に、以上のような地鎮祭に際しては、地主神への供物として、敷地内に鉄人像、鉄盾、鉄刀子、鉄鏡、鉄銭、鉄矛、水晶玉、あるいは敷地内の小石や清砂といった鎮め物を埋納することが古くから行われている(例えば、非特許文献１)。
【０００６】
【非特許文献１】(株)彰国社、「建築大辞典第２版」、普及版、１９９３年６月１０日、ｐ699
【考案の開示】
【考案が解決しようとする課題】
【０００７】
然し乍ら、従来から地鎮祭に際して敷地内に埋納されてきた鎮め物は、上記のように鉄人像、鉄盾、鉄刀子、鉄鏡、鉄銭、鉄矛、水晶玉、あるいは敷地内の小石や清砂といったものであり、地相を良くするものではなく、主に建築工事の無事を祈願するために地主神へ供えるものに過ぎない。
【０００８】
本考案は以上のような事情に鑑みて成されたものであり、その目的は地鎮祭などに際して建築用地に埋設することにより、理想的な地相にすることのできる祭礼用具を提供することにある。
【課題を解決するための手段】
【０００９】
本考案は上記目的を達成するため、地中に埋設する祭礼用具であって、所定の長さを有する柱状構造材の上端面に「青竜」、「白虎」、「朱雀」、「玄武」からなる四方四神の一つを表す文字又は図柄が記されることを特徴とする。
【００１０】
又、地中に埋設する祭礼用具であって、所定の長さを有する４本１組の柱状構造材から成り、その各上端面にそれぞれ「青竜」、「白虎」、「朱雀」、「玄武」からなる四方四神の一つを表す文字又は図柄が記されることを特徴とする。
【００１１】
特に、上記のような祭礼用具において、柱状構造材の上端面に、四方四神の一つを表す文字又は図柄を囲む八卦が記されるほか、柱状構造材の上部外周に環状溝が形成され、その環状溝には上端面に記される四方四神の一つを表す文字又は図柄に対応して、青、白、赤、又は黒の彩色が施されることを特徴とする。
【００１２】
又、柱状構造材は横断面正八角形で下端部がテーパ状の形態であり、しかも係る柱状構造材が御影石製であることを特徴とする。
【考案の効果】
【００１３】
本考案によれば、柱状構造材の上端面に四方四神の一つを表す文字又は図柄が記されることから、建築用地の東に「青竜」を表した柱状構造材、西に「白虎」を表した柱状構造材、南に「朱雀」を表した柱状構造材、北に「玄武」を表した柱状構造材をそれぞれ埋設することにより、理想的な地相とすることができる。
【００１４】
又、柱状構造材の上端面には「青竜」、「白虎」、「朱雀」、「玄武」からなる四方四神の一つを表す文字又は図柄のほか、これを囲む八卦が記されることから地相占術上の効果が上がり、しかも柱状構造材の上部外周に環状溝が形成され、その環状溝に四方四神の一つを表す文字又は図柄に対応して、青、白、赤、又は黒の彩色が施されることから地相占術上の効果が更に上がる。
【００１５】
更に、柱状構造材は横断面正八角形で下端部がテーパ状の形態であり、しかも御影石製であるから高級感があって、地中に埋設して腐らず、半永久的に良好な地相を維持することができる。
【考案を実施するための最良の形態】
【００１６】
以下、本考案について説明すれば、係る祭礼用具は主として図１に示すような柱状構造材１Ａ，１Ｂ，１Ｃ，１Ｄを４本１組として構成される。図１に示すように、柱状構造材１Ａ〜１Ｄは柱状の胴体部２とテーパ状の下端部３とを有しており、その横断面は図２のように正八角形状とされる。
【００１７】
尚、本例において、胴体部２の長さは２４０ｍｍ、下端部３の長さは１２５ｍｍとされる。又、係る柱状構造材１Ａ〜１Ｄは石材、木材、又は金属などから製されるが、好ましくはその材料として地中に埋設して腐らない石材、それも御影石(花崗岩)が好適に用いられる。周知のように、御影石は石英、正長石、斜長石に少量の黒雲母、角閃石を含む粗粒状の岩石であり、これによれば硬く、耐久性に富み、高級感のある柱状構造材１Ａ〜１Ｄを製することができる。
【００１８】
又、係る柱状構造材１Ａ〜１Ｄの上部において、胴体部２の外周にはその周方向に沿って深さ数ｍｍ、幅約５ｍｍの環状溝４が形成される。特に、環状溝４には青、白、赤、又は黒から選ばれる彩色が施される。尚、その彩色には安定性が高い無機顔料が好適に用いられる。青色顔料としては群青(２Ａl2Ｎa4Ｓi3Ｏ10Ｓ4)、コバルト青(ＣoＯ・nＡl2Ｏ3)、白色顔料としてはチタン白(ＴiＯ2)、亜鉛華(ＺnＯ)、鉛白(２ＰbＣＯ3・Ｐb(ＯＨ)2)、赤色顔料としてはベンガラ(Ｆe2Ｏ3)、朱(ＨgＳ)、カドミウム赤(Ｃd(Ｓ，Ｓe))、黒色顔料としてはカーボンブラック(Ｃ)などが挙げられる。但し、本考案は以上のような無機顔料を使用することに限らず、これに有機顔料、又はその他の着色剤も好適に用いることができる。
【００１９】
次に、図３は柱状構造材１Ａの上端面を示す。図３で明らかなように、柱状構造材１Ａの上端面５には四方四神の一つで、東方の守護神とされる「青竜」を表す象形の文字１１が記される。尚、「青竜」を表す文字１１は「竜」の一文字でも、これをひらがら、又はカタカタで記しても良く、更にはその書体を明朝体、ゴシック体、行書体、楷書体などとして差し支えない。更に、「青竜」を表す文字１１に代えて、竜の図柄を記しても良い。尚、以上のように上端面５に「青竜」を表す文字１１又は図柄が記される柱状構造材１Ａにおいて、上記の環状溝４には青の彩色が施される。
【００２０】
一方、柱状構造材１Ａの上端面５には「青竜」を表す文字１１又は図柄のほか、これを囲む八卦２１が記される。尚、八卦２１は周易で陰陽の爻(こう)を組み合わせた八つの図形(乾２１Ａ、兌２１Ｂ、離２１Ｃ、震２１Ｄ、巽２１Ｅ、坎２１Ｆ、艮２１Ｇ、坤２１Ｈ)から成るものであり、自然界、人事界百般の現象を象徴するとされる。
【００２１】
次に、図４は柱状構造材１Ｂの上端面５を示す。図４で明らかなように、柱状構造材１Ｂの上端面５には四方四神の一つで、天上西方の守護神(血の神)とされる「白虎」を表す象形の文字１２が記される。尚、「白虎」を表す文字１２は「虎」の一文字でも、これをひらがら、又はカタカタで記しても良く、更にはその書体を明朝体、ゴシック体、行書体、楷書体などとして差し支えない。更に、「白虎」を表す文字１２に代えて、虎の図柄を記しても良い。尚、以上のように上端面５に「白虎」を表す文字１２又は図柄が記される柱状構造材１Ｂにおいて、上記の環状溝４には白の彩色が施される。又、柱状構造材１Ｂの上端面５にも「白虎」を表す文字１２又は図柄のほか、これを囲む上記例と同様の八卦２１が記される。
【００２２】
次に、図５は柱状構造材１Ｃの上端面５を示す。図５で明らかなように、柱状構造材１Ｃの上端面５には四方四神の一つで、南方の守護神とされる「朱雀」を表す象形の文字１３が記される。尚、「朱雀」を表す文字１３は「雀」の一文字でも、これをひらがら、又はカタカタで記しても良く、更にはその書体を明朝体、ゴシック体、行書体、楷書体などとして差し支えない。更に、「朱雀」を表す文字１３に代えて、鳳凰の図柄を記しても良い。尚、以上のように上端面５に「朱雀」を表す文字１３又は図柄が記される柱状構造材１Ｃにおいて、上記の環状溝４には赤の彩色が施される。又、柱状構造材１Ｃの上端面５にも「朱雀」を表す文字１３又は図柄のほか、これを囲む上記例と同様の八卦２１が記される。
【００２３】
次に、図６は柱状構造材１Ｄの上端面５を示す。図６で明らかなように、柱状構造材１Ｄの上端面５には四方四神の一つで、北方の守護神(水の神)とされる「玄武」を表す象形の文字１４が記される。尚、「玄武」を表す文字１４は「武」の一文字でも、これをひらがら、又はカタカタで記しても良く、更にはその書体を明朝体、ゴシック体、行書体、楷書体などとして差し支えない。更に、「玄武」を表す文字１４に代えて、亀に蛇の巻き付いた図柄を記しても良い。尚、以上のように上端面５に「玄武」を表す文字１４又は図柄が記される柱状構造材１Ｄにおいて、上記の環状溝４には黒の彩色が施される。又、柱状構造材１Ｄの上端面５にも「玄武」を表す文字１４又は図柄のほか、これを囲む上記例と同様の八卦２１が記される。
【００２４】
ここで、以上のように構成される祭礼用具の使用方法を説明すれば、係る祭礼用具は地鎮祭に際して上端面５に「青竜」、「白虎」、「朱雀」、「玄武」からなる四方四神の一つを表す文字１１〜１４又は図柄が記された柱状構造材１Ａ〜１Ｄを４本１組として購入し、これを四方竹飾りの根元に安置して神主様に祈祷して頂く。
【００２５】
次いで、方位磁石で東西南北を割り出し、「青竜」を表す文字１１又は図柄を記した柱状構造材１Ａを家の中心から東方の位置、「白虎」を表す文字１２又は図柄を記した柱状構造材１Ｂを家の中心から西方の位置、「朱雀」を表す文字１３又は図柄を記した柱状構造材１Ｃを家の中心から南方の位置、「玄武」を表す文字１４又は図柄を記した柱状構造材１Ｄを家の中心から北方の位置でそれぞれ敷地内の地中に埋設する。
【００２６】
特に、それら柱状構造材１Ａ〜１Ｄは塩、清酒にて清めてから「猿田彦神宮の砂」と共に埋設し、家の完成時にも塩、清酒にて清めの作業を行うことが肝要であり、これにより家の建築用地を四方四神に守られた理想的な地相とすることができる。
【００２７】
以上、本考案に係る祭礼用具について説明したが、柱状構造材１Ａ〜１Ｄは建物の敷地に限らず、墓地などに埋設しても良い。
【図面の簡単な説明】
【００２８】
【図１】本考案に係る祭礼用具(柱状構造材)の好適な一例を示した側面図
【図２】図１のＸ−Ｘ断面図
【図３】柱状構造材の上端面を示した平面図
【図４】他の柱状構造材の上端面を示した平面図
【図５】他の柱状構造材の上端面を示した平面図
【図６】他の柱状構造材の上端面を示した平面図
【符号の説明】
【００２９】
１Ａ〜１Ｄ  柱状構造材
２  胴体部
３  下端部
４  環状溝
１１  「青竜」を表す文字
１２  「白虎」を表す文字
１３  「朱雀」を表す文字
１４  「玄武」を表す文字
２１  八卦
【図１】
0003100675.tif 000003
【図２】
0003100675.tif 000004
【図３】
0003100675.tif 000005
【図４】
0003100675.tif 000006
【図５】
0003100675.tif 000007
【図６】
0003100675.tif 000008